(57)【特許請求の範囲】
【請求項１】
表示開口を有する前面筐体パネルと、この前面筐体パネルの裏面側に連結される背面筐体パネルとを備える筐体内に、側面にねじ穴が設けられた表示パネルをその表示面が上記表示開口から外部に臨むようにして取付けるための表示パネルの取付け構造であって、
上記表示パネルの側面のねじ穴にねじつけられたねじの頭部からなる被挟持部を設ける一方、
上記前面筐体パネルの裏面側には第１挟持部を、上記背面筐体パネルの前面側には第２挟持部を、それぞれ設け、上記前面筐体パネルと上記背面筐体パネルの相互連結状態において、上記第１挟持部と上記第２挟持部とにより、上記被挟持部を挟持することを特徴とする、表示パネルの取付け構造。
【請求項２】
上記第１挟持部と上記第２挟持部は、上記前面筐体パネルと上記背面筐体パネルに一体形成された、上記ねじの軸直角方向に延びるリブに形成されている、請求項１に記載の表示パネルの取付け構造。
【請求項３】
上記第１挟持部と上記第２挟持部の少なくとも一方には、上記被挟持部が嵌まり込む切欠きが形成されている、請求項２に記載の表示パネルの取付け構造。
【請求項４】
上記被挟持部は、上記ねじの中心軸を中心とする回転体形状をしているとともに、少なくとも１つの外向フランジを有している、請求項３に記載の表示パネルの取付け構造。
【請求項５】
上記被挟持部は、軸方向に離れた２つの外向フランジを有しており、この２つの外向フランジ間に、上記第１挟持部および上記第２挟持部が嵌まり込む、請求項２ないし４のいずれかに記載の表示パネルの取付け構造。
【発明の詳細な説明】
【技術分野】
【０００１】
本発明は、液晶表示装置などにおける表示パネルの取付け構造に関する。
【背景技術】
【０００２】
パーソナルコンピュータなどのモニターとして用いられる表示装置は、たとえば特許文献１に示されるようなモジュール化された液晶表示パネルが組み込まれた薄型のものが主流となっている。このような液晶表示装置の筐体は、通常、前面筐体パネルと、背面筐体パネルとを有している。前面筐体パネルは、表示開口を備えており、液晶表示パネルは、その表示面を表示開口から臨ませるようにして、前面筐体パネルの裏面側に取付けられる。
【０００３】
ところで、この種の液晶表示装置の製造にあたっては、複数のメーカーから液晶表示パネルの供給を受けるのが通常である。この場合、液晶表示パネルは、正面外形寸法や、前面筐体パネルに対する取付けの便宜ために側面部に設けられるねじ穴の位置等、前面筐体パネルに対する取付けに関連する外形仕様については所定の仕様のものが供給される。しかしながら、厚み寸法については供給元のメーカーによって区々である場合が多い。
【０００４】
一方、前面筐体パネルに対する液晶表示パネルの取付け手法としては、組立時の作業性を考慮して、図５に示すように、前面筐体パネルａの裏面側から一体に形成した係合爪ｂを利用し、この係合爪ｂによって液晶表示パネルｃの裏面側周縁部を引っ掛けるようにするという手法が採られることがある。この場合、組立時にネジや工具が不要であるため、液晶表示パネルｃの取付けの作業性は向上するが、液晶表示パネルｃの厚み寸法が供給元のメーカーによって区々であるため、次のような問題がある。
【０００５】
すなわち、厚み寸法が比較的薄い液晶表示パネルｃについては、係合爪ｂによる引っ掛けによってこの液晶表示パネルｃが適正に保持されるようにするために、前面筐体パネルａに対する組立てに先立ち、この液晶表示パネルｃの側面に形成されているねじ穴（図示略）を利用し、アタッチメント金具ｄを取り付けておく必要がある（図５参照）。このようなアタッチメント金具ｄは、厚み寸法の異なる液晶表示パネルｃごとに製作する必要があるので、部品点数が増大するのみならず、液晶表示装置の製造コストが上昇する。
【０００６】
【特許文献１】特開２００２−２３１４０号公報
【発明の開示】
【発明が解決しようとする課題】
【０００７】
本発明は、上記した事情のもとで考え出されたものであり、厚み寸法の異なる表示パネルを、部品点数の増加を招くことなく、適正に筐体に取り付けることができるようにすることをその課題とする。
【課題を解決するための手段】
【０００８】
上記の課題を解決するため、本発明では、次の技術的手段を採用した。
【０００９】
すなわち、本発明によって提供される表示パネルの取付け構造は、表示開口を有する前面筐体パネルと、この前面筐体パネルの裏面側に連結される背面筐体パネルとを備える筐体内に、側面にねじ穴が設けられた表示パネルをその表示面が上記表示開口から外部に臨むようにして取付けるための表示パネルの取付け構造であって、上記表示パネルの側面のねじ穴にねじつけられたねじの頭部からなる被挟持部を設ける一方、上記前面筐体パネルの裏面側には第１挟持部を、上記背面筐体パネルの前面側には第２挟持部を、それぞれ設け、上記前面筐体パネルと上記背面筐体パネルの相互連結状態において、上記第１挟持部と上記第２挟持部とにより、上記被挟持部を挟持するものである。
【発明の効果】
【００１０】
表示パネルの側面に形成されているねじ穴は、表示パネルの厚み寸法に関わりなく、表示面側から一定の位置に形成される。表示パネルは、このねじ穴にねじつけられるねじの頭部による被挟持部を第１および第２挟持部によって挟持することにより、前面筐体パネルの表示開口に対する適正な位置関係を保持しつつ、容易に筐体内に取付けられる。
【００１１】
第１および第２挟持部は、前面筐体パネルおよび背面筐体パネルに一体に形成することができ、また、表示パネルの側面にもともと形成されているねじ穴を利用するので、本発明の構造を採用することによる部品点数の増加はない。
【００１２】
さらに、被挟持部を第１および第２挟持部によって挟持することにより、特別な工具や部品を必要とすることなく表示パネルが取付けられるので、組立てにあたっての高い作業性は維持される。
【発明を実施するための最良の形態】
【００１３】
以下、本発明の好ましい実施の形態につき、図１ないし図４を参照して具体的に説明する。
【００１４】
実施形態は、表示パネルとして、モジュール化された液晶表示パネル１００を利用した液晶表示装置Ａに本発明を適用したものである。図１および図２に示すように、液晶表示装置Ａは、筐体２００内に液晶表示パネル１００を保持しており、また、この筐体２００内には、図示しない駆動回路や制御回路が組み込まれる。
【００１５】
液晶表示パネル１００は、液晶パネル１１０やバックライト装置（図示略）を積層状に備え、これらが額縁状の金属フレーム１２０によって一体化されたものであり、全体として所定厚みの矩形形状をしている。また、この液晶表示パネル１００の側面を形成する金属フレーム１２０には、筐体２００に対する取付けの便宜に供するためのねじ穴１３０が複数箇所設けられている。このねじ穴１３０はまた、液晶表示パネル１００の表示面側から一定の位置に形成されている。この液晶表示パネル１００は、取り付けるべき筐体２００に対して表示面の面方向の位置関係を規定する必要があるため、正面外形は一定となっているが、厚み寸法については供給元によって相違がある。
【００１６】
選択したねじ穴１３０には、たとえば、図４（ａ）に示したようなねじ４００がねじつけられる。このねじ４００は、雄ねじ部４１０と、頭部４２０とを有する。頭部４２０は、雄ねじ部４１０の軸線を中心とした回転体形状となっており、中間小径部４２３を挟んで、２箇所の外向フランジ部４２１，４２２が形成されている。この頭部４２０の頂面には、プラスドライバビットが係合しうる係合穴４２４が形成されている。このねじ４００の頭部４２０は、後記する被挟持部４２０′を形成する。この頭部４２０の形態としては、図４（ａ）に示したもののほか、図４（ｂ）（ｃ）に示すように、外向フランジ４２１，４２２を基端側または先端側にそれぞれ１箇所設けたもの、あるいは図４（ｄ）に示すように、所定の軸方向長さを有する単なる円筒形のものとすることができる。なお、このようなねじ４００の頭部４２０による被挟持部４２０′は、好ましくは、液晶表示パネル１００の各辺に２箇所程度設けられる。
【００１７】
筐体２００は、前面筐体パネル２１０と、背面筐体パネル２５０とを有している。前面筐体パネル２１０は、前面に表示開口２１１を有する正面視略矩形状の樹脂成形品である。この前面筐体パネル２１０の裏面の四隅部には、ボス柱２１２が一体形成されており、このボス柱２１２の端面には、後記するタッピングねじ２７０をねじつけるための孔２１３が形成されている。この前面筐体パネル２１０の裏面にはまた、上記被挟持部４２０′を前面筐体パネル２１０側から挟持する第１挟持部２２０′を形成するための所定厚みの第１のリブ２２０が一体形成されている。この第１のリブ２２０は、取付けられるべき液晶表示パネル１００の側面と平行に、かつ、上記被挟持部４２０′を設けるべき位置と対応して形成されている。したがって、この第１のリブ２２０は、被挟持部４２０′に対して軸直角方向に延びることになる。この第１のリブ２２０の上縁には、図４（ａ）に示したねじ４００の頭部４２０における中間小径部４２３がぴったりと嵌まり込む切欠き２２１が形成されている。なお、図示は省略するが、この前面筐体パネル２１０の裏面には、液晶表示パネル１００の外周に部分的に当接して位置決めを行うための突起や壁、あるいはストッパが形成されている。
【００１８】
背面筐体パネル２５０は、上記前面筐体パネル２１０の裏面側に連結される、前面筐体パネル２１０と同等の正面視外形をもつ樹脂成形品である。この背面筐体パネル２５０の四隅部には、上記前面筐体パネル２１０のボス柱２１２と対応させて、凹部２５１が形成されており、この凹部２５１には、ねじ通し穴２５２が設けられている。前面筐体パネル２１０と背面筐体パネル２５０との連結は、ねじ通し穴２５２からとおしたタッピングねじ２７０を上記ボス柱２１２の孔２１３にねじつけることによりなされる。この背面筐体パネル２５０の前面にはまた、上記被挟持部４２０′を背面筐体パネル２５０側から挟持する第２挟持部２６０′を形成するため所定厚みの第２のリブ２６０が一体形成されている。この第２のリブ２６０は、上記第１のリブ２２０と厚み方向に隣接して延びるように形成されており、その上縁には、図４（ａ）に示したねじ４００の頭部４２０における中間小径部４２３がぴったりと嵌まり込む切欠き２６１が形成されている。
【００１９】
筐体２００に対する液晶表示パネル１００の組み付けは、次のようにして行われる。
【００２０】
上述したように、液晶表示パネル１００の側面には、ねじ４００の頭部４２０からなる被挟持部４２０′が予め取付けられている。そうして、図１に示すように、裏返しにした前面筐体パネル２１０上に、各被挟持部４２０′（ねじ４００の頭部４２０の中間小径部４２３）が第１のリブ２２０に形成された各切欠き２２１に嵌まりこむようにして、表示面を下側とした液晶表示パネル１００を載置する。次いで、背面筐体パネル２５０を被せ、ねじ通し穴２５２を通したタッピングねじ２７０を前面筐体パネル２１０のボス柱２１２の孔２１３にねじ込む。前面筐体パネル２１０に対する背面筐体パネル２５０の連結が適正に達成されたとき、第２のリブ２６０に形成した各切欠き２６１にも各被挟持部４２０′が嵌まり込む。第１のリブ２２０および第２のリブ２６０に形成された各切欠き２２１，２６１の深さは、上記のようにして両筐体パネル２１０，２５０が連結されたとき、各被挟持部４２０′を前面筐体パネル２１０側と背面筐体パネル２５０側から所定の圧力をもって挟圧できるように設定される。また、被挟持部４２０′を成形するねじ４００の頭部４２０における中間小径部４２３の軸方向長さは、第１のリブ２２０と第２のリブ２６０の厚みの合計と対応した長さに設定される。
【００２１】
各被挟持部４２０′は、前面筐体パネル２１０側と背面筐体パネル２５０側から挟持されるので、筐体２００に対する液晶表示パネル１００の厚み方向の位置が決定される。また、液晶表示パネル１００の表示面方向の位置は、前面筐体パネル２１０に設けた図示しない位置決め突起やストッパ等によって規定されうる。しかしながら、図に示す実施形態では、各被挟持部４２０′は、少なくとも第１のリブ２２０に設けた切欠き２２１にぴったりと嵌まり込んでおり、かつ、頭部４２０の中間小径部４２３の軸方向長さが２枚のリブ２２０，２６０の厚み合計と対応させられているので、被挟持部４２０′（頭部４２０）は、その軸方向についても、軸直角方向についても、各リブ２２０，２６０に対して位置決めされる。したがって、この実施形態においては、上記のように組み立てるだけで、液晶表示パネル１００の厚み方向、および、表示面の面方向において、筐体２００に対して自動的に位置決めされることになる。
【００２２】
液晶表示パネル１００は、供給元のメーカーによって、その厚みが区々となるが、表示面に対するねじ穴１３０の位置は、決定されている。したがって、供給される液晶表示パネル１００の厚みに関わりなく、前面筐体パネル２１０に対する表示面の位置関係が一定とされた液晶表示パネル１００の組立て状態が実現される。
【００２３】
しかも、組立てにあたっては、前面筐体パネル２１０上に所定のように液晶表示パネル１００を載置し、かつ、前面筐体パネル２１０に対して背面筐体パネル２５０を連結するという、通常の操作が必要であるのみで、液晶表示パネル１００を固定するためだけの操作や部品は必要ない。
【００２４】
もちろん、この発明の範囲は上記した実施形態に限定されるものではなく、各請求項に記載した事項の範囲内でのあらゆる変更は、すべて本発明の範囲に包摂される。
【００２５】
表示パネルとしては、液晶表示パネルに限定されず、パネル型のものであれば、種類は問わない。
【００２６】
実施形態では、被挟持部４２０′を挟持する第１の挟持部２２０′と第２の挟持部２６０′は、いずれも、リブによって形成したが、各挟持部の形態は、リブ状である必要はなく、どのような形態であってもよいし、一方がリブ形態で、他方がリブ以外の形態であってもよい。
【００２７】
実施形態では、第１のリブ２２０と第２のリブ２６０の双方に、被挟持部４２０′がぴったりとはまりこむ切欠き２２１，２６１を設けたが、いずれか一方にのみ切欠きを設けるだけでもよい。
【図面の簡単な説明】
【００２８】
【図１】本発明の一実施形態の一部切欠き分解斜視図である。
【図２】図１のII-II線断面図である。
【図３】図２のIII-III線断面図である。
【図４】被挟持部を形成するためのねじの例を示す説明図である。
【図５】従来例の説明図である。
【符号の説明】
【００２９】
Ａ        液晶表示装置
１００    液晶表示パネル
１３０    ねじ穴
２００    筐体
２１０    前面筐体パネル
２２０    第１のリブ
２２０′  第１挟持部
２２１    切欠き
２５０    背面筐体パネル
２６０    第２のリブ
２６０′  第２挟持部
２７０    タッピングねじ
４００    ねじ
４１０    雄ねじ部
４２０    頭部
４２０′  被挟持部
４２１    外向フランジ
４２２    外向フランジ
４２３    中間小径部
【図１】
0005015836.tif 000002
【図２】
0005015836.tif 000003
【図３】
0005015836.tif 000004
【図４】
0005015836.tif 000005
【図５】
0005015836.tif 000006